(57)【要約】      （修正有）【課題】宅配ボックスを屋外に設置しても、雨水が侵入しないような屋根構造を配置した屋外用宅配ボックスを提供する。【解決手段】棚板１６、１７、１８により相互に独立した複数の収納空間１１〜１４を形成するように上下に区画され、収納空間の各前面の開口部に開閉自在若しくはキーにより開閉可能な扉１１Ａ〜１４Ａが設けられている筐体状の宅配ボックス１０において、複数の収納空間の最上層収納空間の上面に、防水性材料で成り、傾斜を有する屋根構造２０が配置されている。【選択図】図１
0003218836.tif 000002
【実用新案登録請求の範囲】
【請求項１】
棚板により相互に独立した複数の収納空間を形成するように上下に区画され、前記収納空間の各前面の開口部に開閉自在若しくはキーにより開閉可能な扉が設けられている筐体状の宅配ボックスにおいて、
前記複数の収納空間の最上層収納空間の上面に、防水性材料で成り、傾斜を有する屋根部材が配置されていることを特徴とする屋外用宅配ボックス。
【請求項２】
前記屋根部材が片流れ形式である請求項１に記載の屋外用宅配ボックス。
【請求項３】
前記屋根部材が切妻形式である請求項１に記載の屋外用宅配ボックス。
【請求項４】
前記屋根部材が寄棟形式である請求項１に記載の屋外用宅配ボックス。
【請求項５】
前記屋根部材が方形の形式である請求項１に記載の屋外用宅配ボックス。
【考案の詳細な説明】
【技術分野】
【０００１】
本考案は、宅配物を収納空間内に収納して保管する筐体状の宅配ボックスに関し、特に屋外に設置するタイプの宅配ボックスであって、雨が降っても宅配ボックス（収納空間）内に雨水が侵入しないような屋根構造を有する屋外用宅配ボックスの構造に関する。
【背景技術】
【０００２】
集合住宅或いは共同住宅と呼ばれる住宅棟（アパート、マンション等）には、住人が共同で使用する宅配ボックスが配置されることが多くなっている。このような宅配ボックスは、住宅棟の住人が使用し易く、管理人が監視し易いように、通常玄関ホールに配置している。この宅配ボックスは、複数の区画された収納室（収納空間）から構成されており、宅配業者が、宅配ボックスの複数の収納室中から、空いている収納室を選んでその収納室に荷物を入れるようになっている。
【０００３】
一方、収納室の側方にはダイヤル錠が配設されており、収納室が空の場合に配達に来た宅配業者は、収納室の扉を開けて荷物を中に入れる。次に、ダイヤル錠で所定の数列の暗証番号を入力して施錠した後、配達伝票の空欄に宅配ボックスの扉番号と暗証番号を記入してポスト等に投函しておく。
【０００４】
配達先の入居者は、ポストに投函された配達伝票により自分宛に荷物が来ていることが分かり、配達伝票の空欄に記入した扉番号のダイヤル錠に暗証番号を入力して扉を開け、収納室から荷物を取り出す。荷物を取り出した後は扉を閉める。これにより、収納室が空の初期状態となり、他の入居者宛の荷物を保管することができるようになっている。
【０００５】
上述のように従来の宅配ボックスは、住宅棟の玄関ホールに設置されることが多い。ちなみに、玄関ホールが広い場合は設置に全く問題はないが、玄関ホールに充分なスペースがないことがある。その場合、住宅棟の屋外に宅配ボックスを設けることが望まれるが、従来の宅配ボックスは、外部への設置はほとんど考慮されておらず、雨天時に雨水が内部に浸入して収納物を汚損するばかりでなく、施錠手段などの故障の原因ともなる。
【０００６】
ところで、特開２００２−８５２４６号公報（特許文献１）には、上下に隣接する収納空間の間に棚板を開閉自在に設け、上下のいずれかの扉を閉めた状態で、棚板の動きを規制する係止片を上下の扉にそれぞれ設けている。従って、上下いずれかの扉を閉めている状態では、扉に設けた係止片により棚板の動きを規制することができる。このような、いわば機械的なインターロックで棚板の開閉の規制を行っているため、棚板用の電子錠を備えた従来のものとは異なり、コストを安価にでき、しかも屋外に設置する場合にも、防雨機能を施す場所も少なくなり、メンテナンスが容易で全体を低コスト化することができる宅配ボックスが提案されている。
【先行技術文献】
【特許文献】
【０００７】
【特許文献１】特開２００２−８５２４６号公報
【特許文献２】特開２０１６−３４４０４号公報
【考案の概要】
【考案が解決しようとする課題】
【０００８】
特許文献１においては、隣接する収納空間の間に棚板を開閉自在に設け、上下のいずれかの扉を閉めた状態で棚板の動きを規制する係止片を上下の扉にそれぞれ設けるという、非常に複雑な構造を採用している。
【０００９】
しかしながら、宅配ボックスの防雨構造として求められているのは、各収納空間において確実な防雨機能を果たさせることができるということである。係る課題を解決する宅配ボックスとして、特開２０１６−３４４０４号公報（特許文献２）が提案されているが、屋外に設置した場合には、雨天時の対策が何もされていないので、雨水が収納空間（収納室）内に侵入してしまう問題がある。
【００１０】
本考案は上述の点に鑑みなされたものであり、本考案の目的は、宅配ボックスを屋外に設置しても、雨水が侵入しないような屋根構造を配置した屋外用宅配ボックスを提供することにある。しかも、低コストで簡単に製作できる宅配ボックスである。
【課題を解決するための手段】
【００１１】
本考案は、棚板により相互に独立した複数の収納空間を形成するように上下に区画され、前記収納空間の各前面の開口部に開閉自在若しくはキーにより開閉可能な扉が設けられている筐体状の宅配ボックスに関し、本考案の上記目的は、前記複数の収納空間の最上層収納空間の上面に、防水性材料で成り、傾斜を有する屋根部材を配置することにより達成され、屋根部材は片流れ形式、切妻形式、寄棟形式、或いは方形の形式で良い。
【考案の効果】
【００１２】
本考案の屋外用宅配ボックスによれば、複数の収納空間の最上層収納空間の上面に、防水性材料で成り、傾斜を有する屋根部材が配置されているので、宅配ボックスを屋外に設置しても、雨が降った場合でも収納空間内に雨水が侵入することはなく、安心して荷物を管理することができる。屋根構造の配置であるので、製造も容易であり、安価な構成である。
【図面の簡単な説明】
【００１３】
【図１】本考案に係る屋外用宅配ボックス（第１実施形態）の外観例を示す正面図及び側面図である。
【図２】本考案に係る屋外用宅配ボックス（第１実施形態）の外観例を示す平面図である。
【図３】本考案に係る屋外用宅配ボックス（第２実施形態）の外観例を示す正面図及び側面図である。
【図４】本考案に係る屋外用宅配ボックス（第２実施形態）の外観例を示す平面図である。
【図５】屋根構造の他の例を示す斜視図である。
【考案を実施するための形態】
【００１４】
本考案は、棚板により相互に独立した複数の収納空間を形成するように上下に区画され、複数の収納空間の各前面の開口部に開閉自在若しくはキーにより開閉可能な扉が設けられている筐体状の屋外用宅配ボックスに関し、特に複数の収納空間の最上層収納空間の上面に、金属等の防水性材料で成り、傾斜（例えば水平線に対して３〜１０°）を有する屋根部材を配置することにより、雨が降っても収納空間内に雨水が侵入しないようにしている。屋根部材は片流れ形式、切妻形式、寄棟形式、或いは方形の形式で良い。
【００１５】
以下に、本考案の実施形態を、図面を参照して説明する。
【００１６】
図１は本考案の屋外用宅配ボックス１０の外観例（正面及び側面）を示しており、図２はその平面図である（第１実施形態）。本実施形態では、同じスペースサイズで４つの収納空間１１，１２，１３，１４が設けられており、収納空間１１及び１２は棚板１６で上下に区画され，収納空間１２及び１３は棚板１７で上下に区画され，収納空間１３及び１４は棚板１８で上下に区画されている。また，収納空間１１の前面には開閉可能な扉１１Ａが取り付けられており、収納空間１１の前面には開閉可能な扉１１Ａが取り付けられており、収納空間１１の前面には開閉可能な扉１１Ａが取り付けられており、収納空間１１の前面には開閉可能な扉１１Ａが取り付けられている。本実施形態では詳細は説明しないが、特許文献２で説明されているような施錠／開錠機構が設けられている。図２は扉１４Ａの開閉状態を示しており、通常は状態Ｘの閉位置で閉まっており、荷物を収納する際或いは荷物を取り出すときに、状態Ｙの開状態にする。扉１４Ａは蝶番等で開閉可能となっている。また、扉１３Ａには荷物を受け取ったことを宅配業者に通知する受領印ユニット１５が設けられている。
【００１７】
最上層の収納空間１４の上面には、背後（後方）に下る勾配で傾斜した片流れの屋根構造２０が配置されており、屋根構造２０は金属、合成樹脂、木材等の防水性のある材料で形成されている。屋根構造２０が防水性で傾斜しているため、収納ボックス１０が屋外に設置され、雨が降った場合でも、頂部の屋根構造２０で雨水が背面方向に排出されるため、雨水が収納空間１１〜１４に侵入することはない。
【００１８】
このような構造において、宅配業者による荷物の配達と、利用者（入居者）の荷物の受け取りの動作について説明する。先ず、配達に来た宅配業者は空の収納空間１１〜１４の扉１１Ａ〜１４Ａを開けて荷物を中に入れる。次に、ダイヤル錠等で所定の数列の暗証番号を入力して施錠した後、配達伝票の空欄に宅配ボックス１０の扉番号と暗証番号を記入してポスト等に投函しておく。配達先の入居者は、ポストに投函された配達伝票により、自分宛に荷物が来ていることが分かるので、配達伝票の空欄に記入した扉番号のダイヤル錠等に暗証番号を入力して扉１１Ａ〜１４Ａを開け、収納空間１１〜１４から荷物を取り出す。荷物を取り出した後は扉を閉め、受領印ユニット１５に受け取りを報知する。これにより、収納空間１３Ａ，１３Ｂが空の初期状態となり、他の入居者宛の荷物を保管することができるようになっている。また、受領印ユニット１５からの情報（無線、若しくは通信回線、ペーパーなど）により、宅配業者は当該入居者が荷物を受け取ったことを確認することができる。
【００１９】
第1実施形態の宅配ボックス１０は収納空間１１〜１４が同一サイズの空間となっているが、図３及び図４に示すような構造であっても良い（第２実施形態）。即ち、第２実施形態の宅配ボックス３０では３つの収納空間３１〜３３が設けられており、収納空間３１のサイズが大きくなっており、収納空間３２及び３３は同一サイズとなっている。そして、最上層の収納空間３３の上面に屋根構造４０が配置されており、屋根構造４０は背面方向に向かって傾斜している。
【００２０】
上述では屋根構造は後方（背面方向）に傾斜した片流れ方式の構造になっているが、図５（Ａ）に示すような切妻の形式、図５（Ｂ）に示すような寄棟の形式、図５（Ｃ）に示すような方形の形式であっても良い。
【００２１】
また、本考案では、施錠手段としてダイヤル錠を採用した場合について説明したが、ダイヤル錠に代えて磁気カード、ＩＣカード（非接触型を含む）等を用いたカード式や、指紋や静脈等の認証式、その他の電子錠を使用することもできる。
【産業上の利用可能性】
【００２２】
上記の実施形態では荷物の集配を行う宅配業者の場合について説明したが、本考案の屋外用宅配ボックスは、郵便配達人の書留（簡易書留を含む）の場合にも適用できる。即ち、配達先の部屋番号を入力して扉を閉め、受領印部により受領書に受領印を捺印する。受領印に代えて、特定の受け取り番号ないし暗証番号をプリントアウトするようにしても良い。
【符号の説明】
【００２３】
１０        屋外用宅配ボックス（第１実施形態）
１１，１２，１３，１４      収納空間
１５        受領印ユニット
１６、１７，１８      棚板
２０        屋根構造
３０        屋外用宅配ボックス（第２実施形態）
３１，３２，３３      収納空間
３４        受領印ユニット
３５、３６  棚板
４０        屋根構造
【図１】
0003218836.tif 000003
【図２】
0003218836.tif 000004
【図３】
0003218836.tif 000005
【図４】
0003218836.tif 000006
【図５】
0003218836.tif 000007